(57)【要約】【課題】ヒートポンプ式の冷凍機を採用してコールド商品，ホット商品を販売する自動販売機の庫内冷却／加熱装置を対象に、ホット商品を販売する運転モードで冷凍機の過負荷，運転効率低下を防いで安定した運転を維持できるように運転制御方式を改良する。【解決手段】圧縮機，庫外熱交換器，庫外ファンを組合せた庫外ユニット、膨張機構、庫内熱交換器，庫内ファンを組合せて商品室に配した庫内ユニットからなり、その冷凍サイクルで発生する冷熱，温熱で庫内の収納商品を冷却，加熱するヒートポンプ式冷凍機で構成した庫内冷却／加熱装置において、少なくとも１基の庫内熱交換器を凝縮器として放熱する運転モードで、庫内温度センサの検出信号を基に、蒸発器として吸熱する熱交換器の送風ファンの回転数を変更して吸熱量を調整し、凝縮温度，放熱量が所定値以上に増大するのを防ぐ。【選択図】      図１
2004184019.tif 000002
【特許請求の範囲】
【請求項１】
商品収納庫を複数の商品室に仕切り、商品室ごとにその室内に冷気もしくは暖気を循環送風して収納商品をホット商品もしくはコールド商品として販売する自動販売機の庫内冷却／加熱装置であって、前記庫内冷却／加熱装置を、圧縮機，庫外熱交換器，庫外ファンを組合せて庫外側に設置した庫外ユニット、冷媒膨張機構、および庫内熱交換器，庫内ファンを組合せて商品室内に配備した庫内ユニットを経由する冷凍回路に自然冷媒を封入し、その冷凍サイクルで発生する冷熱，温熱で庫内の収納商品を冷却，加熱するヒートポンプで構成したものにおいて、
各商品室に配備した庫内ユニットのうち、少なくとも１基の庫内熱交換器を凝縮器としてその商品室に収納した商品を加熱する運転モードで、凝縮器として放熱する庫内熱交換器の凝縮温度，放熱量が所定値以上に増大するのを抑える運転制御手段を備えたことを特徴とする自動販売機の庫内冷却／加熱装置。
【請求項２】
請求項１に記載の庫内冷却／加熱装置において、運転制御手段として、庫内ユニットごとにその庫内熱交換器の温度を検出する温度センサを配置した上で、凝縮器として機能している庫内熱交換器に付設した前記温度センサの検出信号を基に、蒸発器として機能している熱交換器に付設した送風ファンの回転数を変更して送風風量を調整する制御装置を備えたことを特徴とする自動販売機の庫内冷却／加熱装置。
【請求項３】
請求項１に記載の庫内冷却／加熱装置において、運転制御手段として、庫内ユニットごとにその庫内熱交換器の温度を検出する温度センサを配置するとともに、膨張機構に電子膨張弁を採用し、凝縮器として機能している庫内熱交換器に付設した前記温度センサの検出信号を基に、電子膨張弁の弁開度を変更して冷凍回路の冷媒循環量を調整する制御装置を備えたことを特徴とする自動販売機の庫内冷却／加熱装置。
【請求項４】
請求項１に記載の庫内冷却／加熱装置において、運転制御手段として、庫内ユニットごとにその庫内熱交換器の温度を検出する温度センサを配置した上で、凝縮器として機能している庫内熱交換器に付設した前記温度センサの検出信号を基に、圧縮機の回転数を変更して冷凍回路の冷媒循環量を調整する制御装置を備えたことを特徴とする自動販売機の庫内冷却／加熱装置。
【請求項５】
請求項１に記載の庫内冷却／加熱装置において、運転制御手段として、庫内ユニットごとにその庫内熱交換器の温度を検出する温度センサを配置するとともに、膨張機構に電子膨張弁を採用し、凝縮器として機能している庫内熱交換器に付設した前記温度センサの検出信号を基に、電子膨張弁の弁開度，および圧縮機の回転数を変更して冷凍回路の冷媒循環量を調整する制御装置を備えたことを特徴とする自動販売機の庫内冷却／加熱装置。
【請求項６】
請求項２ないし５のいずれかに記載の庫内冷却／加熱装置において、温度センサを庫内熱交換器の吸込側および吐出側に配置し、その検出温度の温度差信号を基に運転制御を行うようにしたことを特徴とする自動販売機の庫内冷却／加熱装置。
【請求項７】
請求項１に記載の庫内冷却／加熱装置において、運転制御手段として、庫外ユニットに周囲温度を検出する温度センサを配置した上で、庫外熱交換器が蒸発器として機能する運転モードでは、前記温度センサの検出信号を基に庫外ファンの回転数を変更して庫外熱交換器の送風風量を調整する制御装置を備えたことを特徴とする自動販売機の庫内冷却／加熱装置。
【請求項８】
商品収納庫を複数の商品室に仕切り、商品室ごとに冷気もしくは暖気を循環送風して庫内に収納した商品をホット商品もしくはコールド商品として販売する自動販売機の庫内冷却／加熱装置であって、前記庫内冷却／加熱装置を、圧縮機，庫外熱交換器，庫外ファンを組合せて庫外側に設置した庫外ユニット、冷媒膨張機構、庫内熱交換器，庫内ファンを組合せて商品収納庫の各商品室内に配置した庫内ユニットを経由する冷凍回路に自然冷媒を封入し、その冷凍サイクルで発生する冷熱，温熱で庫内の収納商品を冷却，加熱するヒートポンプで構成したものにおいて、
庫外熱交換器を蒸発器として吸熱する運転モードで、周囲温度が所定温度以下に低下した際に、庫外ユニットのファン送風方向を圧縮機から熱交換器に向くように切換える運転制御手段を備えたことを特徴とする自動販売機の庫内冷却／加熱装置。
【請求項９】
請求項８に記載の庫内冷却／加熱装置において、運転制御手段として、庫外ユニットに周囲温度を検出する温度センサを配置した上で、該温度センサの検出信号を基に庫外ファンを正転もしくは逆転させる制御装置を備えたことを特徴とする自動販売機の庫内冷却／加熱装置。
【請求項１０】
請求項８に記載の庫内冷却／加熱装置において、運転制御手段として、庫外ユニットに周囲温度を検出する温度センサを配置するとともに、庫外ファンとして送風方向が互いに逆な２台のファンを備え、前記温度センサの検出信号を基に前記２台のファンのいずれか一方を選択的に運転する制御装置を備えたことを特徴とする自動販売機の庫内冷却／加熱装置。
【発明の詳細な説明】
【０００１】
【発明の属する技術分野】
本発明は、ホット商品とコールド商品を併売するホット・アンド・コールド自動販売機に装備したヒートポンプ式の庫内冷却／加熱装置に関する。
【０００２】
【従来の技術】
周知のように頭記したホット商品とコールド商品を併売する従来のホット・アンド・コールド自動販売機は、断熱筐体になる本体キャビネットの庫内を複数の商品室に仕切った上で、各商品室ごとに商品収納ラックと併せて冷却器（冷凍機の蒸発器），ヒータ，および庫内ファンを組合せた庫内冷却／加熱装置を設置し、ホット商品，コールド商品の販売モードに合わせて前記冷却器で冷却した庫内空気（冷気），もしくはヒータで加熱した庫内空気（暖気）を庫内に循環送風して商品収納ラックに収納した商品を冷却，ないし加温して販売するようにしている。
【０００３】
また、近年になりオゾン層保護および温暖化防止の環境問題から冷凍機の冷媒としてフロン系冷媒の使用が規制されており、自動販売機においても、庫内冷却装置の冷凍機として自然冷媒（ＨＣ系冷媒）を採用した冷凍機が採用されるようになっている（例えば、特許文献１参照。）。
また、プロパン，イソブタンなどの自然冷媒はフロン系冷媒に比べて凝縮温度が高いことから、その性状を利用して庫内に収納した商品を加熱するように、ホット・アンド・コールド自動販売機に自然冷媒を採用したヒートポンプ式の冷凍機を搭載し、そのその冷凍サイクルで発生する冷熱，温熱で庫内の収納商品を冷却，加熱するようにした庫内冷却／加熱装置が注目され、その開発が進められている。
【０００４】
次に、従来例として、発明者等が現在開発を進めているヒートポンプ式の庫内冷却／加熱装置を搭載した自動販売機の構成，運転動作を図８〜図２１で説明する。
まず、図８，図９に自動販売機の全体構成を示す。図において、１は断熱筐体になる自動販売機の本体キャビネット、２は前面外扉、２ａは商品取出口、３は断熱内扉、４は商品収納庫、４Ａ〜４Ｃは商品収納庫４に仕切隔壁１ａで画成された商品室、５は各商品室に搭載した商品収納ラック、６は商品搬出シュータ、７は商品室４Ａ〜４Ｃの庫内底部に配置した庫内冷却／加熱装置の庫内ユニット、８は本体キャビネット１の底部側に画成した機械室に配置した庫外ユニット（冷凍機のコンデンシングユニット）である。なお、図示例では、商品室４Ａはコールド専用室、４Ｂ，４Ｃはホット・アンド・コールド室として後記のようにコールド商品，ホット商品を販売するようにしている。
【０００５】
また、図１０は前記した庫内冷却／加熱装置の詳細構造図、図１１はその冷凍回路図であり、前記の庫内ユニット７は庫内熱交換器７ａ，補助ヒータ（電熱ヒータ）７ｂ，庫内ファン７ｃを組合せて風胴に収設した構成になり、図９で示すように商品室２Ａ〜２Ｃに１基ずつ配置されている。一方、庫外ユニット８は圧縮機８ａ，庫外熱交換器８ｂ，庫外ファン８ｃを図示のように前後に並べて本体キャビネット１の機械室に収設されており、庫外ファン８ａの送風により外扉２の下部に開口する吸気口２ｂから取り込んだ外気を図示矢印の方向に流して庫外熱交換器８ｂ，圧縮機８ｃを通風し、本体キャビネット１の背面に開口する排気口１ｂから機外に排気するようにしている。また、庫外ユニット８と各商品室に配した庫内ユニット７を結ぶ冷媒管路には、図１１の冷凍回路で示すように冷媒膨張機構（膨張弁）９，電磁弁１０，および回路内の要所に逆止弁１１を接続してヒートポンプ式の冷凍回路を構成している。なお、図中に表した記号７Ａ，７Ｂ，７Ｃはそれぞれ商品室４Ａ，４Ｂ，４Ｃに配置した庫内ユニットを表している。
【０００６】
上記の構成で、商品室４Ａ〜４Ｃごとに定めたホット，コールド販売モードに合わせて後記のように冷凍機を運転し、庫内熱交換器７ａと熱交換した冷気，暖気を庫内ファン７ｃの送風により商品室を循環通風して商品収納ラック５（図８，図９参照）に収納した商品１２を冷却，もしくは加熱して販売する。
次に、商品室４Ａ〜４Ｃでのホット，コールド販売モードに対応するヒートポンプ式冷凍機の運転モードを図１２〜図１８で説明する。なお、各図の冷凍回路には符号を付してないが図１１に準ずるものとし、図中の太線は冷媒の通流，細線は冷媒の非通流状態を、矢印は冷媒の通流方向を表している。また、各運転モードの図中に表示した記号Ｃはコールド運転，Ｈはホット運転を表し、例えばＣＣＣは図９に示した３室の商品室４Ａ〜４Ｃが全てコールド運転、ＣＣＨは２室がコールド運転，１室がホット運転である状態を表している。
【０００７】
また、図１９は庫内冷却／加熱装置の制御系統図、図２０はその制御装置のブロック図、図２１はホット運転モードに対応する制御のフローチャートであり、図１２〜図１８に示す各運転モードでは、庫内の各商品室に配した庫内温度センサの検出信号を庫内温度情報として、コントローラからの指令により圧縮機，ヒータ，庫外ファン，庫内ファン，電磁弁をＯＮ／ＯＦＦ制御して各商品室の庫内温度をコールド商品，ホット商品の販売適温に保ようにしている。
まず、図１２（ａ），（ｂ）  に、３室の商品室４Ａ〜４Ｃを全て冷却してコールド商品を販売する運転モード（ＣＣＣ運転）に対応する冷凍回路の冷媒の流れ、および庫内温度の推移とこれに対応する冷凍機制御動作のタイムチャートを示す。なお、図中のＡ，Ｂ，Ｃはそれぞれ商品室４Ａ，４Ｂ，４Ｃに対応する庫内温度の時間的な変化、ＯＮ点，ＯＦＦ点はそれぞれ庫内温度設定値の上限，下限を表している。このＣＣＣ運転モードでは、各商品室に配した庫内ユニット７Ａ〜７Ｃの庫内熱交換器７ａが全て蒸発器，庫外ユニット８の庫外熱交換器８ｂを凝縮器として、庫内熱交換器で庫内から吸熱した熱を庫外熱交換器より庫外に放熱している。
【０００８】
図１３は商品室２Ａ，２Ｂがコールド運転，２Ｃがホット運転の運転モード（ＣＣＨ運転１）であり、この運転モードでは庫内ユニット７Ａ，７Ｂの庫内熱交換器が蒸発器として庫内を冷却し、庫内ユニット７Ｃの庫内熱交換器が凝縮器として庫内ユニット７Ａ，７Ｂの庫内熱交換器で吸熱した熱を放熱して庫内を加熱しており、庫外ユニット８の熱交換器は休止（冷媒の通流停止）している。
図１４はＣＣＨ運転モードで商品室４Ｃの加熱要求がない運転状態（ＣＣＨ運転２）を表し、この運転状態では庫内ユニット７Ｃの庫内熱交換器が休止し、庫外ユニット８の庫外熱交換器を凝縮器として庫内ユニット７Ａ，７Ｂの庫内熱交換器で吸熱した熱を庫外に放熱している。
【０００９】
図１５はＣＣＨ運転モードで商品室４Ａ，４Ｂの冷却要求がない運転状態（ＣＣＨ運転３）であり、この運転状態では庫内ユニット７Ａ，７Ｂの庫内熱交換器が休止、庫内ユニット７Ｃの庫内熱交換器が凝縮器として庫内に放熱し、庫外ユニット８の庫外熱交換器が蒸発器として吸熱している。
図１６は商品室２Ａがコールド運転，２Ｂ，２Ｃがホット運転の運転モード（ＣＨＨ運転１）であり、この運転モードでは庫内ユニット７Ａの庫内熱交換器が蒸発器として庫内を冷却し、庫内ユニット７Ｂ，７Ｃの庫内熱交換器が凝縮器として放熱しており、庫外ユニット８の熱交換器は休止（冷媒の通流停止）している。
【００１０】
図１７はＣＨＨ運転モードで商品室２Ａの冷却要求がない運転状態（ＣＨＨ運転２）を表し、この運転状態では庫内ユニット７Ａの庫内熱交換器が休止、庫内ユニット７Ｂ，７Ｃが凝縮器として庫内に放熱し、庫外ユニット８の庫外熱交換器が蒸発器として吸熱している。
図１８はＣＨＨ運転モードで商品室２Ｂ，２Ｃの加熱要求がない運転状態（ＣＨＨ運転３）を表し、この運転状態では庫内ユニット７Ｂ，７Ｃの庫内熱交換器が休止、庫内ユニット７Ａの庫内熱交換器が蒸発器として吸熱し、庫外ユニット８の庫外熱交換器が凝縮器として庫外に放熱している。
【００１１】
上記のように図１２のＣＣＣ運転モード１を除き、図１３〜図１８のＣＣＨ運転モードもしくはＣＨＨ運転モードでは、ホット運転（Ｈ）に対応する庫内ユニット７の庫内熱交換器７ａが凝縮器として庫内に放熱する。一方、庫外ユニット８の庫外熱交換器７ｂについては、図１２のＣＣＣ運転モード１，図１４のＣＣＨ運転２，図１８のＣＨＨ運転３の状態では凝縮器として放熱し、図１５のＣＣＨ運転３，図１７のＣＨＨ運転２では逆に蒸発器として庫外から吸熱するなど、そのときの自動販売機の販売モードに合わせて庫内熱交換器，庫外熱交換器が凝縮器として放熱したり、放熱器として吸熱したりする。そして、個々の運転モードでは、各商品室の庫内温度情報を基に図１９〜図２１で示すようにコントローラで圧縮機，庫内ファン，ヒータをＯＮ／ＯＦＦ制御して庫内温度をコールド商品，ホット商品の販売適温に保つようにしている。
【００１２】
【特許文献１】
特開２００２−１０６９８３号公報
【００１３】
【発明が解決しようとする課題】
前述のようにヒートポンプ式の冷凍機を自動販売機の庫内冷却／加熱装置として使用し、庫内の各商品室に収納した商品をコールド商品，あるいはホット商品として販売する場合に、そのコールド，ホット販売に対応する運転モードに合わせて冷凍機の庫内熱交換器，庫外熱交換器を凝縮器あるいは蒸発器として運転する場合には、運転上で次記のような問題点がある。すなわち、
（１）  通常の冷凍機では、冷凍サイクルの蒸発器で吸熱した熱量と圧縮機で与えられた熱量を凝縮器で放熱する（放熱量＝吸熱量＋圧縮機の仕事熱当量）ことから、庫外ユニットに配した凝縮器（庫外熱交換器）の熱交換能力が庫内ユニットに配した蒸発器（庫内熱交換器）の熱交換能力よりも圧縮機の仕事熱当量を加えた分だけ大きくなるように設計されている。
【００１４】
しかしながら、先記のように冷凍機をヒートポンプとして運転し、庫内の収納商品を加熱するＣＣＨ，ＣＨＨ運転モードでは、前記（ＣＣＣ運転モードに対応する）とは逆に、蒸発器として設計した庫内ユニットの庫内熱交換器が凝縮器として放熱し、凝縮器として大きな熱交換能力を持たせるように設計した庫外ユニットの庫外熱交換器が蒸発器として吸熱する運転パターン（図１５，図１７参照）となる。しかも、このような運転パターンで冷凍機を運転すると、蒸発器（庫外熱交換器）の吸熱能力が凝縮器（庫内熱交換器）の放熱能力を上回ることになるため、冷凍サイクルの熱バランスが崩れて吸熱量が放熱量より大きくなる。このような運転状態になると、冷凍サイクルは放熱量を大きくして熱バランスを保つように凝縮温度が上昇するが、この場合に凝縮温度が高くなると圧縮機が過負荷運転となり、この過負荷運転の状態がある時間継続すると圧縮機のモータ給電回路に配したプロテクタが作動して冷凍機の運転が停止し、自動販売機の庫内冷却／加熱装置が機能しなくなってコールド商品，ホット商品が販売できなくなるといった販売トラブルに進展するおそれがある。
【００１５】
また、前記した冷凍サイクルの熱バランスの崩れは、庫内の各商品室に配した庫内熱交換器の一部を凝縮器，他の庫内熱交換器を蒸発器として機能させ、庫外ユニットが休止している運転モード（例えば図１３に示すＣＣＨ運転モード）でも起こり得る。
（２）  また、冷凍機のヒートポンプ運転により庫内ユニットの庫内熱交換器を凝縮器として庫内に放熱し、その商品室に収納した商品を加熱する（凝縮器と熱交換した空気を庫内に循環送風して商品を加温する）ホット運転モードにおいて、前記した熱バランスの崩れに起因して凝縮器として機能している庫内熱交換器の放熱量が急激に増大する状態になると、凝縮温度とともに熱交換器自身の温度が急速に上昇する。そのために、商品の品温が上昇する以前に凝縮器（庫内熱交換器）が設定温度の上限を超えてしまい、その結果、当該熱交換器への冷媒供給が停止して休止となるため、その商品室の商品が販売適温まで加温されなくなるといった問題もある。
【００１６】
（３）  さらに、庫外ユニットの庫外熱交換器が蒸発器として機能する運転パターン（図１５，図１７参照）において、夏期のように周囲温度が高い状況では吸熱量が増えて冷凍負荷が大きくなる。そのために、冷凍サイクルでは蒸発温度の上昇とともに熱バランスを保つように凝縮温度が上昇して冷凍機が過負荷運転となって停止することがある。また、前記とは逆に冬期のように周囲温度が低下すると、蒸発器として機能している庫外熱交換器での蒸発温度も低下し、０℃以下になると熱交換器のフィン表面に霜が着霜して、これが通風抵抗となって熱交換能力が極端に低下する。このような状況では蒸発温度がさらに低下して冷凍機の運転効率が悪化する。
【００１７】
本発明は上記の点に鑑みなされたものであり、庫内冷却／加熱装置にヒートポンプ式の冷凍機を採用してコールド商品，ホット商品を販売する自動販売機を対象に、ホット商品を販売する運転モードにおける冷凍機の過負荷，運転効率低下を防いで安定した運転を維持できるように運転制御方式を改良した庫内冷却／加熱装置を提供することを目的とする。
【００１８】
【課題を解決するための手段】
上記目的を達成するために、本発明によれば、商品収納庫を複数の商品室に仕切り、商品室ごとにその室内に冷気もしくは暖気を循環送風して収納商品をホット商品もしくはコールド商品として販売する自動販売機の庫内冷却／加熱装置であって、前記庫内冷却／加熱装置を、圧縮機，庫外熱交換器，庫外ファンを組合せて庫外側に設置した庫外ユニット、冷媒膨張機構、および庫内熱交換器，庫内ファンを組合せて商品室内に配備した庫内ユニットを経由する冷凍回路に自然冷媒を封入し、その冷凍サイクルで発生する冷熱，温熱で庫内の収納商品を冷却，加熱するヒートポンプで構成したものにおいて、
各商品室に配備した庫内ユニットのうち、少なくとも１基の庫内熱交換器を凝縮器としてその商品室に収納した商品を加熱する運転モードで、凝縮器として放熱する庫内熱交換器の凝縮温度，放熱量が所定値以上に増大するのを抑える運転制御手段を備え（請求項１）、その運転制御手段は具体的には次記のような態様で構成するものとする。
【００１９】
（１）  運転制御手段として、庫内ユニットごとにその庫内熱交換器の温度を検出する温度センサを配置した上で、凝縮器として機能している庫内熱交換器に付設した前記温度センサの検出信号を基に、蒸発器として機能している熱交換器に付設した送風ファンの回転数を変更して送風風量を調整する制御装置を備える（請求項２）。
上記の構成において、庫内熱交換器を凝縮器として庫内に放熱している運転モードで、先記した冷凍サイクルの熱バランスの崩れに起因して庫内ユニットの庫内熱交換器の温度が所定値以上に上昇した場合には、前記温度センサの検出信号を基に、蒸発器として放熱している熱交換器（庫外熱交換器または庫内熱交換器）に付属する送風ファンの回転数を減速して送風量を減量する。これにより、冷凍サイクルの吸熱量が減少し、これに熱バランスするように放熱量も減少して凝縮温度が下がる。これにより、圧縮機の過負荷運転、および凝縮器として機能している庫内熱交換器の急激な温度上昇に伴うホット運転の停止を回避して、庫内冷却／加熱装置を安定した状態で継続的に運転できる。
【００２０】
（２）  運転制御手段として、庫内ユニットごとにその庫内熱交換器の温度を検出する温度センサを配置するとともに、膨張機構に電子膨張弁を採用し、凝縮器として機能している庫内熱交換器に付設した前記温度センサの検出信号を基に、電子膨張弁の弁開度を変更して冷凍回路の冷媒循環量を調整する制御装置を備える（請求項３）。
上記において、凝縮器として庫内に放熱する庫内ユニットの庫内熱交換器の温度が所定値以上に上昇した場合には、前記温度センサの検出信号を基に、電子膨張弁の弁開度を絞ることで冷凍回路の冷媒循環量が減少する。これにより、前項（１）  と同様に冷凍サイクルの吸熱量，放熱量が減少し、凝縮温度を適正な温度範囲に維持して庫内冷却／加熱装置を安定よく運転できる。
【００２１】
（３）  運転制御手段として、庫内ユニットごとにその庫内熱交換器の温度を検出する温度センサを配置した上で、凝縮器として放熱する庫内熱交換器に付設した前記温度センサの検出信号を基に、インバータ制御などにより圧縮機の回転数を変更して冷凍回路の冷媒循環量を調整する制御装置を備える（請求項４）。
これにより、凝縮器として庫内に放熱する庫内熱交換器の凝縮温度が上昇した場合には、前記温度センサの検出信号を基に圧縮機の回転数を減速して冷媒循環量を減らすことで、前項（２）  と同様に凝縮温度を適正温度に維持できる。
（４）  運転制御手段として、庫内ユニットごとにその庫内熱交換器の温度を検出する温度センサを配置するとともに、膨張機構に電子膨張弁を採用し、凝縮器として放熱する庫内熱交換器に付設した前記温度センサの検出信号を基に、電子膨張弁の弁開度，および圧縮機の回転数を変更して冷凍回路の冷媒循環量を調整する制御装置を備える（請求項５）。
【００２２】
この制御装置は、前記（２）  項による電子膨張弁の弁開度制御と、（３）  項による圧縮機の回転数制御を組合せて冷媒循環量を調整し、凝縮温度を適正温度に維持するように運転制御を行うものであり、庫内冷却／加熱装置の運転状況により電子膨張弁の弁開度あるいは圧縮機の回転数の一方が制御範囲を超えた場合でも、他方の制御でカバーできるので、広範囲な負荷変動にも適切に対応できる。
（５）  前項（１）  〜（４）  において、温度センサを庫内熱交換器の吸込側および吐出側に配置し、その検出温度の温度差信号を基に運転制御を行うようにする（請求項６）。
【００２３】
すなわち、凝縮器として放熱している庫内熱交換器に庫内空気を送風して熱交換を行っている状態では、その凝縮器の吸込側と吐出側の空気温度差が大きいほど庫内への放熱量が多く、温度差が小さいと放熱量は少ない。したがって、２組の温度センサを庫内熱交換器の吸込側と吐出側に分けて配置し、その検出信号から求めた温度差信号を基に、前項（１）  〜（４）  のように庫内熱交換器に送風する風量，電子膨張弁の弁開度，圧縮機の回転数の制御を行うようにすれば、そのときの運転状況に即して適正な運転制御が行える。
（６）  運転制御手段として、庫外ユニットに周囲温度を検出する温度センサを配置した上で、庫外熱交換器を蒸発器として吸熱する運転モードでは、前記温度センサで検出した周囲温度信号を基に庫外ファンの回転数を変更して庫外熱交換器の送風風量を調整する制御装置を備える（請求項７）。
【００２４】
庫外熱交換器を蒸発器として吸熱する運転モードでは、夏期のように周囲温度が高い状況になると冷凍サイクルの吸熱量が大きくなる。そこで、前記温度センサで検出した周囲温度が高くなった際に、庫外ファンの回転数を低めるように制御して蒸発器（庫外熱交換器）の吸熱量を低減することにより、これに熱バランスするように凝縮器として機能している庫内熱交換器の放熱量が低下する。これにより、前項（１）  と同様に、冷凍機の過負荷運転，凝縮温度の過渡な上昇を回避して庫内冷却／加熱装置を安定よく運転できる。
また、本発明によれば、周囲温度の低い冬期対策として、庫外熱交換器を蒸発器とする運転モードで周囲温度が所定温度以下に低下した際に、庫外ユニットのファン送風方向を圧縮機から熱交換器に向くように切換える運転制御手段を備え（請求項７）ものとし、その運転制御手段の具体的な態様として、庫外ユニットに周囲温度を検出する温度センサを配置した上で、該温度センサで検出した周囲温度信号を基に庫外ファンを正転もしくは逆転させるファン制御装置を備える（請求項９）、あるいは庫外ファンとして送風方向が逆な２台のファンを備え、前記温度センサで検出した周囲温度信号を基に前記２台のファンのいずれか一方を選択的に運転するファン制御装置を備える（請求項１０）。
【００２５】
上記のように、庫外熱交換器を蒸発器，庫内熱交換器を凝縮器として商品を加熱する運転パターンで周囲温度が低下（冬期）した状況の下で、庫外ユニットに通風する庫外ファンの送風方向を通常運転から反転させることにより、庫外熱交換器には圧縮機を経由して温度上昇した空気が流れることになる。これにより、蒸発温度の極端な低下，および庫外熱交換器への着霜を防いで冷凍機の安定した運転を維持できる。
【００２６】
【発明の実施の形態】
以下、本発明の実施の形態を図１〜図７に示す実施例に基づいて説明する。
〔実施例１〕
図１（ａ），（ｂ）  は庫内冷却／加熱装置の運転制御手段として本発明の請求項２に対応するファン回転数制御装置を備えた実施例であり、（ａ）  図は制御装置のブロック図、（ｂ）  図はそのフローチャートを示す。ここで、ファン回転数制御装置は回転数変更判定部と回転数指令部を備え、また図中の温度センサには、図１０において各商品室の庫内ユニット７に付設して庫内熱交換器７ａと伝熱的に配置した温度センサ１３を用いる。
【００２７】
そして、庫内冷却／加熱装置の運転時には、図１（ｂ）  に示すフローチャートの処理を実行する。すなわち、回転数変更判定部がその時の庫内冷却／加熱装置の運転モードを読み込み、少なくとも１基の庫内熱交換器７を凝縮器として商品室に収納した商品を加熱する運転モード（ＣＣＨ，ＣＨＨ運転）では、その庫内ユニット７に配した温度センサ１３の検出信号（庫内熱交換器の凝縮温度）を回転数変更判定部に入力してファン回転数変更を判定し、この運転モードで蒸発器として機能している熱交換器（図１５，図１７の運転モードにおける庫外熱交換器、もしくは図１３，図１６の運転モードで蒸発器として機能している庫内熱交換器）の送風ファンの送風ファンの回転数を以下述べるように変更して蒸発器として機能している熱交換器の吸熱量を調整する。なお、送風ファンの回転数変更手段としては、例えばインバータ制御により庫外ファンの駆動電圧を変える、あるいは通電時間比（Ｄｕｔｙ比）  を変えるなどの方法がある。
【００２８】
次に、ファン回転数変更の判定，制御を下記の表１〜表４について述べる。まず、表１は前記の運転モードで蒸発器として機能している熱交換器に付属の送風ファンに対する基本的な回転数変更の判定，制御を表している。
【００２９】
【表１】
2004184019.tif 000003
表１では、回転数変更判定部が凝縮器として放熱している庫内熱交換器に付設した前記温度センサの検出信号  （凝縮温度）  を読み込み、その凝縮温度が判定基準となる設定温度Ｔｃ１以下であれば変更判定は「そのまま」とし、蒸発器として機能している熱交換器（庫外熱交換器あるいは庫内熱交換器）に組合せた送風ファン（庫外ファンあるいは庫内ファン）の回転数変更量は「現状維持」として現在の運転状態を継続する。
【００３０】
一方、先記のように冷凍サイクルの吸熱量と放熱量との熱バランスの崩れに伴い凝縮温度が設定温度Ｔｃ１以上に上昇した場合には、蒸発器の送風ファンの回転数を減速（−Ｒ１）し、その送風量を減らして蒸発器の吸熱量を減少させる。これにより、冷凍サイクルでは蒸発器の吸熱量減少に伴い、凝縮器の放熱量が減少して熱バランスするようになるので、従来の庫内冷却／加熱装置で問題となっていた冷凍機の運転効率低下、過負荷運転および凝縮温度の急激な温度上昇に伴う冷凍機停止などの運転トラブルを回避して安定した運転を維持できる。
また、この場合に凝縮温度，変更判定を表２のように設定することで、庫内熱交換器の凝縮温度を一定範囲に保つことができる。
【００３１】
【表２】
2004184019.tif 000004
すなわち、表２では凝縮温度Ｔｃ２〜Ｔｃ３を判定の設定範囲として、運転中に凝縮温度がこの設定範囲を逸脱した場合には変更判定を「変更」とし、Ｔｃ３以上では蒸発器の送風ファンの回転数を−Ｒ３  に減速して前記のように蒸発器の吸熱量を下げ、逆にＴｃ２以下ではファン回転数を＋Ｒ２に増速して凝縮温度がＴｃ２〜Ｔｃ３の範囲を保つように制御する。
〔実施例２〕
次に、本発明の請求項３に対応する実施例を図２（ａ），（ｂ）  に示す。この実施例では、庫内の各商品室に配した庫内ユニットの庫内熱交換器に対して、先記実施例１と同様に温度センサ１３を配置し、さらに図１１の冷凍回路における膨張機構９として電子膨張弁を採用した上で、図２（ａ）  で示すように弁開度変更判定部および弁開度指令部を備えて制御装置を構成し、庫内冷却／加熱装置の運転時には図２（ｂ）  のフローチャートを実行する。
【００３２】
そして、弁開度変更判定部が実施例１と同様にその時の庫内冷却／加熱装置の運転モードを読み込み、少なくとも１基の庫内熱交換器を凝縮器として商品室に収納した商品を加熱するＣＣＨ，ＣＨＨ運転モードでは、凝縮器として機能している庫内熱交換器に配した温度センサの検出信号（凝縮温度）を弁開度変更判定部に入力して弁開度変更の判定を行い、その判定結果を弁開度指令部に送って電子膨張弁の弁開度を次記の表３〜表６のように変更して冷凍サイクルの凝縮温度を適正範囲に保つように調整する。
【００３３】
【表３】
2004184019.tif 000005
【００３４】
【表４】
2004184019.tif 000006
【００３５】
【表５】
2004184019.tif 000007
【００３６】
【表６】
2004184019.tif 000008
すなわち、表３では、弁開度変更判定部で読み込んだ凝縮温度（温度センサの検出信号）  が判定の設定温度Ｔｃ１以下であれば変更判定は「そのまま」とし、電子膨張弁の弁開度変更量は「現状維持」として現在の運転状態を継続する。一方、凝縮温度が設定温度Ｔｃ１以上に上昇した場合には、弁開度指令部からの指令で電子膨張弁の弁開度を−Ｐ１  に絞り、冷凍回路の冷媒流量を減量する。これにより、冷凍サイクルでの吸熱量および放熱量が減少するので、先記実施例１と同様に従来の庫内冷却／加熱装置で問題となっていた冷凍機の運転効率低下，  過負荷運転，  および凝縮温度の急激な温度上昇に伴う冷凍機の停止などの運転トラブルを回避して安定よく運転できる。
【００３７】
また、表４では、先記実施例１における表２と同様に、凝縮温度Ｔｃ２〜Ｔｃ３を判定の設定範囲として、凝縮温度がこの設定範囲を逸脱した場合には変更判定を「変更」とし、Ｔｃ３以上では電子膨張弁の弁開度を−Ｐ３  に絞り、逆にＴｃ２以下では弁開度を＋Ｐ２  に開くように制御する。
一方、表５，表６では、庫内熱交換器の吸込側に配した温度センサと吐出側に配した温度センサで検出した凝縮温度の温度差ΔＴ１，ΔＴ２，ΔＴ３  を検出信号として弁開度変更判定部に入力し、この温度差信号を基に弁開度変更量の判定を行うようにしている（本発明の請求項６に対応）。
【００３８】
すなわち、庫内ファンと組合せた庫内ユニットの庫内熱交換器を凝縮器として庫内に放熱している運転モードでは、その熱交換器の吸込側温度と吐出側温度の温度差が大きいほど放熱量が多く、温度差が小さいと放熱量は少ない。そこで、前記の温度差を凝縮温度の検出情報として弁開度の変更判定を行うようにすれば、前記表３，表４の判定と比べてより的確に判定できる。
ここで、表５では凝縮温度の前記温度差がΔＴ１  以下であれば変更判定を「そのまま」、電子膨張弁の弁開度変更量を「現状維持」として現在の運転状態を継続し、温度差がΔＴ１  以上に上昇した場合には、電子膨張弁の弁開度を−Ｐ４  に絞って冷凍回路の冷媒流量を減量する。また、表６では、温度差ΔＴ２  〜ΔＴ３  を判定の設定範囲として、凝縮温度の温度差がこの設定範囲を逸脱した場合には変更判定を「変更」としてΔＴ３  以上では電子膨張弁の弁開度を−Ｐ６  に絞り、逆にΔＴ２  以下では弁開度を＋Ｐ５  に開くように制御する。
【００３９】
なお、前記のように凝縮器の吸込側および吐出側に配した温度センサで求めた凝縮温度の温度差信号は、先記した実施例１のファン回転数制御装置，および後記する実施例３の圧縮機回転数制御装置に対する凝縮温度の検出情報として適用することができる。
〔実施例３〕
次に、本発明の請求項４に対応する実施例を図３（ａ），（ｂ）  に示す。この実施例では、庫内の各商品室に配した庫内ユニットの庫内熱交換器に対して、先記実施例１と同様に温度センサ１３を配置するとともに、図１１の冷凍回路における庫外ユニット８の圧縮機８ａの回転数をインバータ制御により可変制御するようにした上で、図３（ａ）  で示すように圧縮機の回転数変更判定部および回転数指令部を備えて制御装置を構成している。
【００４０】
また、図３（ｂ）  は圧縮機の回転数制御のフローチャートであり、自動販売機の運転時には回転数変更判定部が実施例１，２と同様にその時の庫内冷却／加熱装置の運転モードを読み込み、少なくとも１基の庫内熱交換器７を凝縮器として商品室に収納した商品を加熱する運転モードでは、庫内ユニット７に配した温度センサの検出信号（凝縮温度）を回転数変更判定部に入力して圧縮機の回転数変更の判定を行い、その判定結果を回転数指令部に送って圧縮機の回転数を次記の表７，表８のように変更して冷凍サイクルの凝縮温度を適正範囲に保つように冷凍回路の冷媒流量を調整する。
【００４１】
【表７】
2004184019.tif 000009
【００４２】
【表８】
2004184019.tif 000010
すなわち、表７では、圧縮機の回転数変更判定部が凝縮器として機能している庫内熱交換器に付設した前記温度センサの検出信号  （凝縮温度）  を読み込み、その凝縮温度が判定の設定温度Ｔｃ１以下であれば変更判定は「そのまま」、圧縮機の回転数変更量は「現状維持」として現在の運転状態を継続する。一方、凝縮温度が設定温度Ｔｃ１以上に上昇した場合には、圧縮機の回転数を−Ｎ１  に減速して冷凍回路の冷媒流量を減量する。これにより、実施例２で述べた電子膨張弁の弁開度を変更する制御方式と同様に冷凍サイクルでの吸熱量および放熱量が減少し、従来の庫内冷却／加熱装置で問題となっていた冷凍機の運転効率低下，  過負荷運転，  および凝縮温度の急激な温度上昇に伴う冷凍機の停止などの運転トラブルを回避して運転の安定化が図れる。
【００４３】
一方、表８では、先記実施例２における表４と同様に、凝縮温度Ｔｃ２〜Ｔｃ３を判定の設定範囲として、凝縮温度がこの設定範囲を逸脱した場合には変更判定を「変更」とし、Ｔｃ３以上では圧縮機の回転数を−Ｎ３  に減速し、逆にＴｃ２以下では回転数を＋Ｎ２  に増速するように制御する。これにより、凝縮温度を一定幅の範囲に維持できる。
〔実施例４〕
また、本発明の応用実施例として、請求項５のように先記実施例２による電子膨張弁の弁開度制御と実施例３による圧縮機の回転数制御を併用して冷凍機の運転制御を行うこともできる。この制御によれば、庫内冷却／加熱装置の運転状況により電子膨張弁の弁開度あるいは圧縮機の回転数の一方が制御範囲を超えた場合でも、他方の制御でカバーできるので、広範囲な負荷変動にも適切に対応できる。
【００４４】
〔実施例５〕
次に、本発明の請求項７に対応する実施例を図４（ａ），（ｂ）  で説明する。この実施例は、図１０で庫内冷却／加熱装置の庫外ユニット８に配した庫外熱交換器８ａを蒸発器として吸熱する運転モード（図１５，図１７参照）において、夏期のように周囲温度が高い状況では冷凍機の負荷が大きくなって蒸発温度の上昇し、これに伴い凝縮器として機能している庫内熱交換器の放熱量，凝縮温度が上昇して冷凍機が過負荷運転となるのを防ぐようにしたものである。
すなわち、この実施例では図４（ａ）  の制御装置が庫外ファンに対する回転数変更判定部と回転数指令部を備えている。そして、図６で示すように機械室の外気取り入れ口近傍に配した外気温度センサ１４、あるいは庫外ユニット８の風胴に配した温度センサ１５で検出した周囲温度を回転数変更判定部に入力し、図１５，図１７に示すＣＣＨ，ＣＨＨ運転モード（庫外熱交換器が蒸発器として機能している）で庫外ファンの回転数変更を判定し、その判定結果を基に庫外ファンの回転数を変更（図４（ｂ）  のフローチャート参照）して冷凍サイクルの吸熱量を変え、これに合わせて凝縮器（庫内熱交換器）の放熱量を調整する。
【００４５】
ここで、庫外ファンに対する回転数変更の判定，制御を表９に示す。
【００４６】
【表９】
2004184019.tif 000011
すなわち、庫内冷却／加熱装置の運転時には回転数変更部，回転数指令部は図４（ｂ）  に示したフローチャートの処理を実行し、庫外ユニット８に送風する外気温度がＴｓ１からＴｓ２→Ｔｓ３→Ｔｓ４→Ｔｓ５に上昇変化すると、この外気温上昇に合わせて庫外熱交換器８ａに組合せた庫外ユニット８に搭載した庫外ファン８ｃの回転数をＭ１  →Ｍ２  →Ｍ３  →Ｍ４  に減速制御して送風風量を減量する。これにより、冷凍サイクルでの吸熱量が減少するので、先記の実施例で述べたと同様に凝縮器（庫内熱交換器）の放熱量が減少して冷凍機の過負荷運転を回避できる。
【００４７】
［実施例６］
次に本発明の請求項８，９に対応する実施例を図５（ａ），（ｂ）  および図６で説明する。この実施例は、庫内冷却／加熱装置の冬期対策として、庫外熱交換器を蒸発器として吸熱する運転モード（図１５，図１７参照）で周囲温度が低下した場合に庫外熱交換器（蒸発器）のフィン表面に霜が付着し、これが原因で冷凍機の運転効率が低下するのを防ぐようにしたものである。
そこで、この実施例では、図６で庫外ユニット８に組合せた庫外ファン８ｃに可逆転式ファンを採用した上で、図５（ａ）  に示した制御装置に庫外ファンの回転方向変更判定部と回転方向指令部を備え、図５（ｂ）  に示すフローチャートの処理を実行する。すなわち、図１５あるいは図１７に示すＣＣＨ，ＣＨＨ運転モード（庫外熱交換器が蒸発器として吸熱している）では、庫外ユニットに配した温度センサ（図６で、庫外ユニット８に送風する外気の取り入れ口近傍に配した外気温度センサ１４、あるいは庫外ユニットの風胴上に配した温度センサ１５）で検出した外気温度を回転方向変更判定部に入力して庫外ファンの回転方向変更を判定し、その判定結果を基に次記の表１０で示すように庫外ファンの回転方向を正転／逆転制御して送風方向を図６の矢印Ａ，Ｂの方向に切換え、これにより後記のように周囲温度が低い状態での運転時に、庫外熱交換器のフィン表面に着霜するのを防ぐようにしている。
【００４８】
【表１０】
2004184019.tif 000012
すなわち、外気温度が判定の設定温度Ｔｓ  以上であれば、庫外ファン８ｃを正転として外気取入口２ｂから機械室内に取り込んだ外気を矢印Ａ方向に通風し、蒸発器として機能している庫外熱交換器８ｂと熱交換させる。一方、冬期のように外気温度が設定温度Ｔｓ  以下の低温状態になると、庫外ファン８ｃを逆転して送風方向を矢印ＡからＢに切換える。これにより、背面側の排気口１ｂから機械室に流入した低温の外気は、運転中の圧縮機８ａの周囲を流れる過程で圧縮機の発熱を受けて加熱昇温した後に庫外熱交換器８ｂを通風する。この場合に、庫外熱交換器８ｂと熱交換する空気は昇温しているので、蒸発器としての蒸発温度は極端に低下することがなく、また熱交換器の表面に着霜している霜を融解させる効果もあり、これにより庫外熱交換器８ｂの着霜を抑止して冷凍機の運転効率低下を回避できる。
【００４９】
なお、この実施例は先記実施例５で述べた庫外ファンの回転数変更制御と組合せて実施することができる。すなわち、外気温度が設定温度以下では庫外ファン逆転し、設定温度以上の範囲では庫外ファンを正転とした上で、外気温度の上昇に伴って庫外ファンの回転数を減速させるように制御する。
〔実施例７〕
図７は本発明の請求項１０に対応する先記実施例６の応用実施例を示すものであり、庫外ユニット８には庫外ファンとして、送風方向が互いに逆向きな２台の送風ファン８ｃ−１（送風方向矢印Ａ）と８ｃ−２（送風方向矢印Ｂ）を搭載している。そして、実施例６で述べた表１０の判定に合わせて、外気温度がＴｓ  以上であれば、送風ファン８ｃ−１を運転，送風ファン８ｃ−２を停止として外気を矢印Ａ方向に送風し、外気温度がＴｓ  以下に低下した場合には送風ファン送風ファン８ｃ−１を停止，８ｃ−２を運転に切換える。これにより、先記の実施例６で述べたと同様に庫外熱交換器８ｂに通風する外気の温度が上昇して熱交換器の着霜を抑止できる。
【００５０】
【発明の効果】
以上述べたように、本発明によれば、商品収納庫を複数の商品室に仕切り、商品室ごとにその室内に冷気もしくは暖気を循環送風して収納商品をホット商品もしくはコールド商品として販売する自動販売機の庫内冷却／加熱装置であって、前記庫内冷却／加熱装置を、圧縮機，庫外熱交換器，庫外ファンを組合せて庫外側に設置した庫外ユニット、冷媒膨張機構、および庫内熱交換器，庫内ファンを組合せて商品室内に配備した庫内ユニットを経由する冷凍回路に自然冷媒を封入し、その冷凍サイクルで発生する冷熱，温熱で庫内の収納商品を冷却，加熱するヒートポンプで構成したものにおいて、
各商品室に配備した庫内ユニットのうち、少なくとも１基の庫内熱交換器を凝縮器としてその商品室に収納した商品を加熱する運転モードで、凝縮器として放熱する庫内熱交換器の凝縮温度，放熱量が所定値以上に増大するのを抑える運転制御手段として、請求項１〜７に示した送風ファンの回転数制御装置，電子膨張弁の弁開度制御装置，圧縮機の回転数制御装置を備えたことにより、運転モードによって冷凍サイクルの熱バランスが崩れるのを防止し、従来の庫内冷却／加熱装置で問題となっていた冷凍機の運転効率低下、過負荷運転および凝縮温度の急激な温度上昇に伴う冷凍機停止などの運転トラブルを回避して安定した運転を維持できる。
【００５１】
また、庫内冷却／加熱装置の冬期対策として、請求項８〜１０の運転制御手段を備えたことにより、外気温度の低い状態で庫外ユニットの熱交換器を蒸発器として機能させる運転モードでも、蒸発温度の過度な低下に起因する低効率運転，および庫外熱交換器の着霜を防ぐことかできる。
【図面の簡単な説明】
【図１】本発明の実施例１に対応する制御装置の説明図であり、（ａ）  は制御装置のブロック図、（ｂ）  は判定，制御のフローチャートを表す図
【図２】本発明の実施例２に対応する制御装置の説明図であり、（ａ）  は制御装置のブロック図、（ｂ）  は判定，制御のフローチャートを表す図
【図３】本発明の実施例３に対応する制御装置の説明図であり、（ａ）  は制御装置のブロック図、（ｂ）  は判定，制御のフローチャートを表す図
【図４】本発明の実施例４に対応する制御装置の説明図であり、（ａ）  は制御装置のブロック図、（ｂ）  は判定，制御のフローチャートを表す図
【図５】本発明の実施例６に対応する制御装置の説明図であり、（ａ）  は制御装置のブロック図、（ｂ）  は判定，制御のフローチャートを表す図
【図６】本発明の実施例６に対応する庫内冷却／加熱装置の構成配置図
【図７】本発明の実施例７に対応する庫内冷却／加熱装置の構成配置図
【図８】本発明の実施対象となるホット・アンド・コールド自動販売機の概要構成を示す側視断面図
【図９】図８の庫内正面図
【図１０】図８における庫内冷却／加熱装置の従来例の構成配置図
【図１１】図１０の冷凍回路図
【図１２】図１１の冷凍回路によるＣＣＣ運転モードの説明図で、（ａ）  は冷凍回路の冷媒の流れを表す図、（ｂ）  は運転制御のタイムチャートを表す図
【図１３】図１１の冷凍回路おけるＣＣＨ運転モードに対応した冷媒の流れを表す図
【図１４】図１３と異なる運転状態のＣＣＨ運転モードに対応した冷媒の流れを表す図
【図１５】図１４とさらに異なる運転状態のＣＣＨ運転モードに対応した冷媒の流れを表す図
【図１６】図１１の冷凍回路おけるＣＨＨ運転モードに対応した冷媒の流れを表す図
【図１７】図１６と異なる運転状態のＣＨＨ運転モードに対応した冷媒の流れを表す図
【図１８】図１７とさらに異なる運転状態のＣＣＨ運転モードに対応した冷媒の流れを表す図
【図１９】庫内冷却／加熱装置の基本的な運転制御系統を表すブロック図
【図２０】従来における庫内冷却／加熱装置の制御装置を表すブロック図
【図２１】図２０の制御装置のフローチャートを表す図
【符号の説明】
１    自動販売機のキャビネット
４Ａ，４Ｂ，４Ｃ  商品室
５    商品収納ラック
７    庫内冷却／加熱装置の庫内ユニット
７ａ  庫内熱交換器
７ｃ  庫内ファン
８    庫内冷却／加熱装置の庫外ユニット
８ａ  圧縮機
８ｂ  庫外熱交換器
８ｃ  庫外ファン
９    膨張機構
１１    商品
１３    庫内ユニットに配した温度センサ
１４    外気温度センサ
１５    庫外ユニットに配した温度センサ
【図１】
2004184019.tif 000013
【図２】
2004184019.tif 000014
【図３】
2004184019.tif 000015
【図４】
2004184019.tif 000016
【図５】
2004184019.tif 000017
【図６】
2004184019.tif 000018
【図７】
2004184019.tif 000019
【図８】
2004184019.tif 000020
【図９】
2004184019.tif 000021
【図１０】
2004184019.tif 000022
【図１１】
2004184019.tif 000023
【図１２】
2004184019.tif 000024
【図１３】
2004184019.tif 000025
【図１４】
2004184019.tif 000026
【図１５】
2004184019.tif 000027
【図１６】
2004184019.tif 000028
【図１７】
2004184019.tif 000029
【図１８】
2004184019.tif 000030
【図１９】
2004184019.tif 000031
【図２０】
2004184019.tif 000032
【図２１】
2004184019.tif 000033